(57)【要約】【課題】携帯電話のドライバとレシーバとの間におけるコモンモードノイズ対策及びノーマルモードノイズ対策に適したノイズフィルタ及びこれを供えた電子装置を提供する。【解決手段】ＬＣフィルタＬＣ１は、コイルＬ１を含んでいる。ＬＣフィルタＬＣ２は、コイルＬ２を含んでいる。コイルＬ１とコイルＬ２は、０．３以上０．６以下の結合係数で磁気結合することにより、コモンモードチョークコイルＬ１１を構成している。【選択図】図２
2010119085.tif 000002
【特許請求の範囲】
【請求項１】
０．３以上０．７以下の結合係数で結合している２つのコイルからなる第１のコモンモードチョークコイルと、
第１のコイルを含む第１のＬＣフィルタと、
第２のコイルを含む第２のＬＣフィルタと、
を備え、
前記第１のコモンモードチョークコイルの２つのコイルは、前記第１のコイル及び前記第２のコイルとして兼用されていること、
を特徴とするノイズフィルタ。
【請求項２】
前記第１のコモンモードチョークコイルの結合係数は、０．３以上０．６以下であること、
を特徴とする請求項１に記載のノイズフィルタ。
【請求項３】
前記第１のＬＣフィルタは、第１のコンデンサを、含み、
前記第２のＬＣフィルタは、第２のコンデンサを、含み、
前記第１のコイル及び前記第２のコイルは、絶縁層とコイル電極層とが積層されることにより構成されており、
前記第１のコンデンサ及び前記第２のコンデンサは、絶縁層とコンデンサ電極層とが積層されることにより構成されており、
前記絶縁層、前記コイル電極層及び前記コンデンサ電極層は、前記第１のコイル及び前記第２のコイルが、積層方向において、前記第１のコンデンサと前記第２のコンデンサとの間に位置するように、積層されていること、
を特徴とする請求項１又は請求項２のいずれかに記載のノイズフィルタ。
【請求項４】
前記第１のコイル及び前記第２のコイルは、積層方向から平面視したときに、同じ方向に電流が周回する構造を有していること、
を特徴とする請求項３に記載のノイズフィルタ。
【請求項５】
前記コンデンサ電極層は、積層方向から平面視したときに、前記第１のコイルのコイル軸及び前記第２のコイルのコイル軸と重ならないように形成された信号用電極を含むこと、
を特徴とする請求項３又は請求項４のいずれかに記載のノイズフィルタ。
【請求項６】
前記第１のコイルと前記第２のコイルにより発生する磁束の大きさは、略等しいこと、
を特徴とする請求項４に記載のノイズフィルタ。
【請求項７】
前記コンデンサ電極層は、前記第１のＬＣフィルタと前記第２のＬＣフィルタとの境界線に対して、略線対称な構造を有していること、
を特徴とする請求項５に記載のノイズフィルタ。
【請求項８】
前記コンデンサ電極層は、積層方向から平面視したときに、前記第１のコイルのコイル軸及び前記第２のコイルのコイル軸と重ならないように形成された接地用電極を含むこと、
を特徴とする請求項３ないし請求項７のいずれかに記載のノイズフィルタ。
【請求項９】
第３のコイル及び第３のコンデンサからなる第３のＬＣフィルタと、
第４のコイル及び第４のコンデンサからなる第４のＬＣフィルタと、
０．３以上０．７以下の結合係数で結合している２つのコイルからなる第２のコモンモードチョークコイルと、
を更に備え、
前記第３のコイル及び前記第４のコイルは、前記第２のコモンモードチョークコイルの２つのコイルとして兼用されていること、
を特徴とする請求項１ないし請求項８のいずれかに記載のノイズフィルタ。
【請求項１０】
前記第１のコモンモードチョークコイルの結合係数は、０．３以上０．６以下であること、
を特徴とする請求項９に記載のノイズフィルタ。
【請求項１１】
前記第３のＬＣフィルタ及び前記第４のＬＣフィルタは、前記第１のＬＣフィルタ及び前記第２のＬＣフィルタとは電気的に接続されていないこと、
を特徴とする請求項９又は請求項１０のいずれかに記載のノイズフィルタ。
【請求項１２】
前記第１のコイルは、前記第３のコイル及び／又は前記第４のコイルと容量結合していること、
を特徴とする請求項９ないし請求項１１のいずれかに記載のノイズフィルタ。
【請求項１３】
前記第３のコイル及び前記第４のコイルは、絶縁層とコイル電極層とが積層されることにより構成されており、
前記第３のコンデンサ及び前記第４のコンデンサは、絶縁層とコンデンサ電極層とが積層されることにより構成されており、
前記絶縁層、前記コイル電極層及び前記コンデンサ電極層は、前記第３のコイル及び前記第４のコイルが、積層方向において、前記第３のコンデンサと前記第４のコンデンサとの間に位置するように、積層されていること、
を特徴とする請求項１２に記載のノイズフィルタ。
【請求項１４】
前記絶縁層と共に積層され、かつ、前記第１のコイルと前記第３のコイルとを容量結合させる結合用電極層を、
更に備えること、
を特徴とする請求項１３に記載のノイズフィルタ。
【請求項１５】
前記結合用電極層は、積層方向から平面視したときに、前記第１のＬＣフィルタと前記第３のＬＣフィルタとの間に渡って形成されていること、
を特徴とする請求項１４に記載のノイズフィルタ。
【請求項１６】
前記結合用電極層は、積層方向から平面視したときに、前記第１のコイルのコイル軸、前記第２のコイルのコイル軸、前記第３のコイルのコイル軸及び前記第４のコイルのコイル軸と重ならないように形成されていること、
を特徴とする請求項１５に記載のノイズフィルタ。
【請求項１７】
前記第１のコイルの両端に第５のコンデンサを形成させるコンデンサ電極を更に備えること、
を特徴とする請求項１ないし請求項１６のいずれかに記載のノイズフィルタ。
【請求項１８】
請求項１に記載のノイズフィルタと、
第１の信号線ないし第４の信号線からなる差動伝送路と、
を備え、
前記第１のＬＣフィルタは、前記第１の信号線と前記第２の信号線との間に接続されており、
前記第２のＬＣフィルタは、前記第３の信号線と前記第４の信号線との間に接続されていること、
を特徴とする電子装置。
【請求項１９】
請求項９に記載のノイズフィルタと、
第１の信号線ないし第８の信号線からなる差動伝送路と、
前記第１のＬＣフィルタは、前記第１の信号線と前記第２の信号線との間に接続されており、
前記第２のＬＣフィルタは、前記第３の信号線と前記第４の信号線との間に接続されており、
前記第３のＬＣフィルタは、前記第５の信号線と前記第６の信号線との間に接続されており、
前記第４のＬＣフィルタは、前記第７の信号線と前記第８の信号線との間に接続されていること、
を特徴とする電子装置。
【発明の詳細な説明】
【技術分野】
【０００１】
本発明は、ノイズフィルタ及びこれを供えた電子装置に関し、コモンモードチョークコイルを内蔵したノイズフィルタ及びこれを供えた電子装置に関する。
【背景技術】
【０００２】
携帯電話のドライバとレシーバとの間における信号伝送方式として、差動伝送方式が用いられることがある。差動伝送方式では、２本の信号線を伝送する差動信号の電流の和が一定であるので、理論的には、コモンモードノイズが発生しない。
【０００３】
しかしながら、実際には、ドライバのインピーダンスのばらつき等により、２つの信号の振幅や立ち上がり時間、位相等のバランスが崩れ、コモンモードノイズが差動信号に発生してしまう。そのため、ドライバとレシーバとの間において、コモンモードノイズの対策を行う必要がある。
【０００４】
また、差動伝送方式では、規格（例えば３ＧＰＰ）に記載された性能を満たすためには、差動信号を構成するノーマルモードの信号の高次（４次以上）の高調波を除去する場合がある。すなわち、該ノーマルモードの信号がノーマルモードノイズとみなされる場合がある。したがって、ドライバとレシーバとの間において、ノーマルモードノイズの対策も行う必要がある。以上のように、携帯電話のドライバとレシーバとの間におけるコモンモードノイズ対策及びノーマルモードノイズ対策に適したノイズフィルタが望まれている。
【０００５】
なお、従来のノイズフィルタとしては、例えば、特許文献１に記載の積層型アレイ部品が知られている。しかしながら、該積層型アレイ部品は、全ての周波数帯域において、ノーマルモードノイズを同じ量だけ除去してしまうため、ノーマルモードノイズつまり差動信号を構成する高調波信号を過剰に除去し、波形品質を大きく低下させてしまう。
【先行技術文献】
【特許文献】
【０００６】
【特許文献１】特開２００５−６４２６７号公報
【発明の概要】
【発明が解決しようとする課題】
【０００７】
そこで、本発明の目的は、差動信号波形の品質低下を抑制しつつ、携帯電話のドライバとレシーバとの間におけるコモンモードノイズ対策及びノーマルモードノイズ対策に適したノイズフィルタ及びこれを供えた電子装置を提供することである。
【課題を解決するための手段】
【０００８】
本発明の第１の形態であるノイズフィルタは、０．３以上０．７以下の結合係数で結合している２つのコイルからなる第１のコモンモードチョークコイルと、第１のコイルを含む第１のＬＣフィルタと、第２のコイルを含む第２のＬＣフィルタと、を備え、前記第１のコモンモードチョークコイルの２つのコイルは、前記第１のコイル及び前記第２のコイルとして兼用されていること、を特徴とする。
【０００９】
本発明の第２の形態に係る電子装置は、前記ノイズフィルタと、第１の信号線ないし第４の信号線からなる差動伝送路と、を備え、前記第１のＬＣフィルタは、前記第１の信号線と前記第２の信号線との間に接続されており、前記第２のＬＣフィルタは、前記第３の信号線と前記第４の信号線との間に接続されていること、を特徴とする。
【００１０】
本発明の第３の形態に係る電子装置は、前記ノイズフィルタと、第１の信号線ないし第８の信号線からなる差動伝送路と、前記第１のＬＣフィルタは、前記第１の信号線と前記第２の信号線との間に接続されており、前記第２のＬＣフィルタは、前記第３の信号線と前記第４の信号線との間に接続されており、前記第３のＬＣフィルタは、前記第５の信号線と前記第６の信号線との間に接続されており、前記第４のＬＣフィルタは、前記第７の信号線と前記第８の信号線との間に接続されていること、を特徴とする。
【発明の効果】
【００１１】
本発明によれば、２つのコイルの結合係数を０．３以上０．７以下とすることにより、差動信号波形の品質低下を抑制しつつ、携帯電話のドライバとレシーバとの間を伝送するコモンモードノイズ及びノーマルモードノイズを効果的に除去することができる。
【図面の簡単な説明】
【００１２】
【図１】第１の実施形態に係るノイズフィルタの外観斜視図である。
【図２】第１の実施形態に係るノイズフィルタの積層体の分解図である。
【図３】第１の実施形態に係るノイズフィルタの等価回路図である。
【図４】ノイズフィルタにおいて、コイルＬ１とコイルＬ２との結合係数及びコイルＬ３とコイルＬ４との結合係数を０．２としたときにおける、ノーマルモードノイズに対するフィルタの挿入損失と周波数との関係を示したグラフである。
【図５】ノイズフィルタにおいて、コイルＬ１とコイルＬ２との結合係数及びコイルＬ３とコイルＬ４との結合係数を０．３としたときにおける、ノーマルモードノイズに対するフィルタの挿入損失と周波数との関係を示したグラフである。
【図６】ノイズフィルタにおいて、コイルＬ１とコイルＬ２との結合係数及びコイルＬ３とコイルＬ４との結合係数を０．６としたときにおける、ノーマルモードノイズに対するフィルタの挿入損失と周波数との関係を示したグラフである。
【図７】ノイズフィルタにおいて、コイルＬ１とコイルＬ２との結合係数及びコイルＬ３とコイルＬ４との結合係数を０．７としたときにおける、ノーマルモードノイズに対するフィルタの挿入損失と周波数との関係を示したグラフである。
【図８】第１の実験例において、第１の実験を行った際の結果を示したグラフである。
【図９】第２の実験例において、第１の実験を行った際の結果を示したグラフである。
【図１０】第２の実験例において、第２の実験を行った際の結果を示したグラフである。
【図１１】第１の実験例において、第２の実験を行った際の結果を示したグラフである。
【図１２】コモンモードノイズの反射特性と周波数との関係を示したグラフである。
【図１３】ノーマルモードノイズに対するフィルタの挿入損失と周波数との関係を示したグラフである。
【図１４】ノーマルモードノイズ及びコモンモードノイズに対するフィルタの挿入損失と周波数との関係を示したグラフである。
【図１５】結合用電極層の変形例を示した図である。
【図１６】第２の実施形態に係るノイズフィルタの積層体の分解斜視図である。
【図１７】第２の実施形態に係るノイズフィルタの等価回路図である。
【図１８】第３の実施形態に係るノイズフィルタの積層体の分解斜視図である。
【図１９】第３の実施形態に係るノイズフィルタの等価回路図である。
【図２０】第４の実施形態に係るノイズフィルタの積層体の分解斜視図である。
【図２１】第４の実施形態に係るノイズフィルタの等価回路図である。
【図２２】第５の実施形態に係るノイズフィルタの積層体の分解斜視図である。
【図２３】第６の実施形態に係るノイズフィルタの積層体の分解斜視図である。
【図２４】第７の実施形態に係るノイズフィルタの積層体の分解斜視図である。
【図２５】第８の実施形態に係るノイズフィルタの積層体の分解斜視図である。
【図２６】第８の実施形態に係るノイズフィルタの等価回路図である。
【図２７】その他の実施形態に係るノイズフィルタの積層体の分解斜視図である。
【図２８】その他の実施形態に係るノイズフィルタの積層体の分解斜視図である。
【図２９】その他の実施形態に係るノイズフィルタの積層体の分解斜視図である。
【図３０】図２９のノイズフィルタの等価回路図である。
【図３１】その他の実施形態に係るノイズフィルタの積層体の分解斜視図である。
【図３２】その他の実施形態に係るノイズフィルタの積層体の分解斜視図である。
【図３３】その他の実施形態に係るノイズフィルタの積層体の分解斜視図である。
【図３４】本発明に係るノイズフィルタを備えた電子装置の構成図である。
【発明を実施するための形態】
【００１３】
以下に、本発明の実施形態に係るノイズフィルタ及びこれを備えた電子装置について説明する。
【００１４】
（第１の実施形態）
図１は、本発明の実施形態に係るノイズフィルタ１０ａ〜１０ｎの外観斜視図である。図２は、ノイズフィルタ１０ａの積層体１２ａの分解図である。図３は、ノイズフィルタ１０ａの等価回路図である。以下では、ノイズフィルタ１０ａの形成時に、セラミックグリーンシートが積層される方向を積層方向と定義する。そして、この積層方向をｚ軸方向とし、ノイズフィルタ１０ａの長手方向をｘ軸方向とし、ｘ軸とｚ軸とに直交する方向をｙ軸方向とする。ｘ軸、ｙ軸及びｚ軸は、ノイズフィルタ１０ａを構成する辺に対して平行である。
【００１５】
（ノイズフィルタの構成）
ノイズフィルタ１０ａは、図１に示すように、内部に複数のＬＣフィルタ及びコモンモードチョークコイルを含む直方体状の積層体１２ａ、及び、積層体１２ａの表面に形成された外部電極Ｅ１〜Ｅ１０を備えている。以下、積層体１２ａのｘ軸方向の両端に位置する面を端面と定義し、積層体１２ａのｙ軸方向の両端に位置する面を側面と定義し、積層体１２ａのｚ軸方向の上側の面を上面と定義し、積層体１２ａのｚ軸方向の下側の面を下面と定義する。
【００１６】
外部電極Ｅ１，Ｅ３，Ｅ５，Ｅ７はそれぞれ、ｙ軸方向の正方向側の側面において、ｚ軸方向に延びるように形成されている。外部電極Ｅ１，Ｅ３，Ｅ５，Ｅ７はそれぞれ、入力端子として機能する。外部電極Ｅ２，Ｅ４，Ｅ６，Ｅ８はそれぞれ、ｙ軸方向の負方向側の側面において、ｚ軸方向に延びるように形成されている。外部電極Ｅ２，Ｅ４，Ｅ６，Ｅ８はそれぞれ、出力端子として機能する。外部電極Ｅ９，Ｅ１０はそれぞれ、両端面において、ｚ軸方向に延びるように形成されている。外部電極Ｅ９，Ｅ１０はそれぞれ、グランド電極として機能する。
【００１７】
積層体１２ａは、以下に説明するように、複数の内部電極層と複数の誘電体層とが共に積層されて構成され、内部にＬＣフィルタＬＣ１〜ＬＣ４及びコモンモードチョークコイルＬ１１，Ｌ１２を内蔵している。より詳細には、積層体１２ａは、図２に示すように、複数の誘電体層１４ａ〜１４ｃ，１６ａ，１６ｂ，１８ａ〜１８ｆ，２０，２２ｆ〜２２ａ，２４ｂ，２４ａ，２６ｃ〜２６ａがこの順に積層されることにより構成される。複数の誘電体層１４ａ〜１４ｃ，１６ａ，１６ｂ，１８ａ〜１８ｆ，２０，２２ａ〜２２ｆ，２４ａ，２４ｂ，２６ａ〜２６ｃは、それぞれ略同じ面積及び形状を有する長方形の絶縁層である。
【００１８】
誘電体層１６ａの主面上には、ｙ軸方向に長手方向を有する長方形状のコンデンサ電極層５０，５２，５４，５６が形成されている。コンデンサ電極層５０，５２，５４，５６はそれぞれ、ｙ軸方向の負方向側の端部において、コンデンサ電極層５０，５２，５４，５６と外部電極Ｅ２，Ｅ４，Ｅ６，Ｅ８とを接続するための引き出し部５１，５３，５５，５７を有している。また、誘電体層１６ｂの主面上には、ｘ軸方向に長手方向を有する長方形状のコンデンサ電極層５８が形成されている。コンデンサ電極層５８は、ｘ軸方向の両端部において、コンデンサ電極層５８と外部電極Ｅ９，Ｅ１０とを接続するための引き出し部７１，７２を有している。
【００１９】
コンデンサ電極層５０とコンデンサ電極層５８とが誘電体層１６ａを挟んで対向することにより、コンデンサＣ１を構成している。コンデンサ電極層５２とコンデンサ電極層５８とが誘電体層１６ａを挟んで対向することにより、コンデンサＣ２を構成している。コンデンサ電極層５４とコンデンサ電極層５８とが誘電体層１６ａを挟んで対向することにより、コンデンサＣ３を構成している。コンデンサ電極層５６とコンデンサ電極層５８とが誘電体層１６ａを挟んで対向することにより、コンデンサＣ４を構成している。
【００２０】
誘電体層１８ａ〜１８ｆの主面上にはそれぞれ、線状電極が折り曲げられた形状を有するコイル電極層３０ａ〜３０ｆ，４２ａ〜４２ｆが形成されている。より詳細には、コイル電極層３０ａ，４２ａはそれぞれ、「Ｌ」字形状を有し、その一端はそれぞれ、外部電極Ｅ２，Ｅ８に接続されている。コイル電極層３０ｂ〜３０ｅ，４２ｂ〜４２ｅは、同じ誘電体層１８上に形成されたもの同士で互いに反対方向に旋廻するように渦状に形成された電極層である。また、コイル電極層３０ｆ，４２ｆはそれぞれ、「Ｌ」字形状を有し、その一端はそれぞれ、外部電極Ｅ１，Ｅ７に接続されている。更に、誘電体層１８ａ〜１８ｅにはそれぞれ、コイル電極層３０ａ〜３０ｅ，４２ａ〜４２ｅの一端に接続されているビア導体３２ａ〜３２ｅ，４４ａ〜４４ｅが形成されている。これにより、誘電体層１８ａ〜１８ｆが積層された場合には、ビア導体３２ａ〜３２ｅ，４４ａ〜４４ｅは、隣接する誘電体層１８ａ〜１８ｆに形成されたコイル電極層３０ａ〜３０ｆ，４２ａ〜４２ｆ同士を接続する。その結果、コイル電極層３０ａ〜３０ｆは、コイルＬ１を構成し、コイル電極層４２ａ〜４２ｆは、コイルＬ４を構成する。
【００２１】
誘電体層２４ａの主面上には、ｙ軸方向に長手方向を有する長方形状のコンデンサ電極層６０，６２，６４，６６が形成されている。コンデンサ電極層６０，６２，６４，６６はそれぞれ、ｙ軸方向の負方向側の端部において、コンデンサ電極層６０，６２，６４，６６と外部電極Ｅ２，Ｅ４，Ｅ６，Ｅ８とを接続するための引き出し部６１，６３，６５，６７を有している。また、誘電体層２４ｂの主面上には、ｘ軸方向に長手方向を有する長方形状のコンデンサ電極層６８が形成されている。コンデンサ電極層６８は、ｘ軸方向の両端部において、コンデンサ電極層６８と外部電極Ｅ９，Ｅ１０とを接続するための引き出し部７３，７４を有している。
【００２２】
コンデンサ電極層６０とコンデンサ電極層６８とが誘電体層２４ｂを挟んで対向することにより、コンデンサＣ１を構成している。コンデンサ電極層６２とコンデンサ電極層６８とが誘電体層２４ｂを挟んで対向することにより、コンデンサＣ２を構成している。コンデンサ電極層６４とコンデンサ電極層６８とが誘電体層２４ｂを挟んで対向することにより、コンデンサＣ３を構成している。コンデンサ電極層６６とコンデンサ電極層６８とが誘電体層２４ｂを挟んで対向することにより、コンデンサＣ４を構成している。
【００２３】
誘電体層２２ａ〜２２ｆの主面上にはそれぞれ、線状電極が折り曲げられた形状を有するコイル電極層３４ａ〜３４ｆ，３８ａ〜３８ｆが形成されている。より詳細には、コイル電極層３４ａ，３８ａはそれぞれ、「Ｌ」字形状を有し、その一端はそれぞれ、外部電極Ｅ４，Ｅ６に接続されている。コイル電極層３４ｂ〜３４ｅ，３８ｂ〜３８ｅは、同じ誘電体層２２上に形成されたもの同士で互いに反対方向に旋廻するように渦状に形成された電極層である。また、コイル電極層３４ｆ，３８ｆはそれぞれ、「Ｌ」字形状を有し、その一端はそれぞれ、外部電極Ｅ３，Ｅ５に接続されている。更に、誘電体層２２ｂ〜２２ｆにはそれぞれ、コイル電極層３４ｂ〜３４ｆ，３８ｂ〜３８ｆの一端に接続されているビア導体３６ｂ〜３６ｆ，４０ｂ〜４０ｆが形成されている。これにより、誘電体層２２ａ〜２２ｆが積層された場合には、ビア導体３６ｂ〜３６ｆ，４０ｂ〜４０ｆは、隣接する誘電体層２２ａ〜２２ｆに形成されたコイル電極層３４ａ〜３４ｆ，３８ａ〜３８ｆ同士を接続する。その結果、コイル電極層３４ａ〜３４ｆは、コイルＬ２を構成し、コイル電極層３８ａ〜３８ｆは、コイルＬ３を構成する。
【００２４】
積層体１２ａが以上のような構成を有することにより、図３に示すように、コイルＬ１及びコンデンサＣ１からなるＬＣフィルタＬＣ１、コイルＬ２及びコンデンサＣ２からなるＬＣフィルタＬＣ２、コイルＬ３及びコンデンサＣ３からなるＬＣフィルタＬＣ３、及び、コイルＬ４及びコンデンサＣ４からなるＬＣフィルタＬＣ４が形成されている。ＬＣフィルタＬＣ２，ＬＣ３は、ＬＣフィルタＬＣ１，ＬＣ２とは電気的に接続されていない。ここで、ＬＣフィルタＬＣ１を例にとると、コイルＬ１の一端が外部電極Ｅ１に接続されていると共に、コイルＬ１の他端が外部電極Ｅ２に接続されている。更に、コンデンサＣ１の一端は、コイルＬ１の他端に接続されていると共に、コンデンサＣ１の他端は、外部電極Ｅ９，Ｅ１０に接続されている。ＬＣフィルタＬＣ２，ＬＣ３，ＬＣ４の構成については、ＬＣフィルタＬＣ１の構成と同様であるので説明を省略する。
【００２５】
ところで、外部電極Ｅ１，Ｅ３が入力端子と機能し、外部電極Ｅ２，Ｅ４が出力端子と機能するので、図２において、コイルＬ１には、例えば、ｚ軸方向の下から上へと電流が流れ、コイルＬ２には、例えば、ｚ軸方向の上から下へと電流が流れる。すなわち、コイルＬ１とコイルＬ２とには、ｚ軸方向において逆方向に電流が流れる。更に、コイルＬ１を構成するコイル電極層３０ａ〜３０ｆは、ｚ軸方向の下から上へと行くにしたがって時計回りに旋廻し、コイルＬ２を構成するコイル電極層３４ａ〜３４ｆは、ｚ軸方向の下から上へと行くにしたがって反時計回りに旋廻している。すなわち、コイルＬ１とコイルＬ２とは、互いに逆向きに旋廻している。したがって、コイルＬ１とコイルＬ２とに電流が流れた場合には、共に同じ方向に電流が旋廻するようになる。更に、コイルＬ１及びコイルＬ２は、図２に示すように、コイルＬ１のコイル軸とコイルＬ２のコイル軸とが略一致するようにｚ軸方向に並べて配置されている。その結果、コイルＬ１とコイルＬ２とは、同じ方向に磁束を発生して磁気的に結合することで、ＬＣフィルタＬＣ１とＬＣフィルタＬＣ２を構成するコイルと、コモンモードチョークコイルＬ１１を構成する２つのコイルとを兼用するようになる。特に、コイルＬ１とコイルＬ２とは、コンデンサＣ１，Ｃ２が接続された端部に対する他方の端部近傍（図２のｚ軸方向の中央部分）において、磁気結合している。コイルＬ１とコイルＬ２との結合係数は、０．３以上０．７以下である。コイルＬ３とコイルＬ４も、磁気結合して、ＬＣフィルタＬＣ３とＬＣフィルタＬＣ４を構成するコイルと、コモンモードチョークコイルＬ１２を構成する２つのコイルとを兼用しているが、その詳細についてはコイルＬ１とコイルＬ２と同じであるので説明を省略する。
【００２６】
なお、コイルＬ１とコイルＬ２との結合係数の計測は、以下の手順にて行われる。コイルＬ１とコイルＬ２との結合係数の計測では、まず、図３の外部電極Ｅ１と外部電極Ｅ３とを短絡させ、外部電極Ｅ２，Ｅ４間のインダクタンス値Ｌｄｄを測定する。次に、外部電極Ｅ１と外部電極Ｅ３とを短絡させ、外部電極Ｅ２と外部電極Ｅ４とを短絡させて、外部電極Ｅ１，Ｅ３と外部電極Ｅ２，Ｅ４との間のインダクタンス値Ｌｃｃを測定する。そして、以下の式（１）にインダクタンス値Ｌｄｄ，Ｌｃｃを代入して、結合係数Ｋを得る。
【００２７】
Ｋ＝（２Ｌｃｃ−Ｌｄｄ／２）／（２Ｌｃｃ＋Ｌｄｄ／２）・・・（１）
【００２８】
コイルＬ３とコイルＬ４との結合係数の計測は、コイルＬ１とコイルＬ２との結合係数の計測と同じであるので説明を省略する。
【００２９】
更に、誘電体層１８ｆと誘電体層２２ｆとの間に配置された誘電体層２０の主面上には、コイルＬ１とコイルＬ３，Ｌ４とを容量結合させる結合用電極層７０が形成されている。該結合用電極層７０は、コイルＬ２とコイルＬ３，Ｌ４とも容量結合させている。結合用電極層７０は、コイルＬ３，Ｌ４についても同様にコイルＬ１，Ｌ２と容量結合させている。そのため、該結合用電極層７０は、ｚ軸方向から平面視したときに、ＬＣフィルタＬＣ１とＬＣフィルタＬＣ３，ＬＣ４との間に渡って形成されている。同様に、結合用電極層７０は、ｚ軸方向から平面視したときに、ＬＣフィルタＬＣ２とＬＣフィルタＬＣ３，ＬＣ４との間に渡って形成されている。
【００３０】
ここで、結合用電極層７０は、２つの環状の線状電極が接続された形状を有している。これは、コイルＬ１〜Ｌ４に電流が流れた場合に、コイルＬ１〜Ｌ４において発生する磁束を結合用電極層７０が妨げないようにするためである。
【００３１】
（効果）
以上のように、ノイズフィルタ１０ａによれば、ＬＣフィルタＬＣ１〜ＬＣ４が内蔵されていると共に、コイルＬ１〜Ｌ４がコモンモードチョークコイルＬ１１，Ｌ１２を構成するコイルを兼ねているので、ノーマルモードノイズ及びコモンモードノイズの両方を除去することができる。
【００３２】
特に、ノイズフィルタ１０ａでは、以下に説明するように、コイルＬ１とコイルＬ２との結合係数及びコイルＬ３とコイルＬ４との結合係数を０．３以上０．７以下としているので、携帯電話のドライバとレシーバとの間を伝送する差動信号に発生するノーマルモードノイズを効果的に除去できる。
【００３３】
より詳細には、本願発明者は、ノイズフィルタ１０ａが奏する効果を確認するために、以下に説明するコンピュータシミュレーションを行った。図４ないし図７は、コンピュータシミュレーションの結果を示したグラフであり、ノイズフィルタ１０ａにおいて、コイルＬ１とコイルＬ２との結合係数及びコイルＬ３とコイルＬ４との結合係数を０．２，０．３，０．６，０．７としたときにおける、ノーマルモードノイズに対するフィルタの挿入損失と周波数との関係を示したグラフである。縦軸は、ノイズに対するフィルタの挿入損失を示し、横軸は、周波数を示している。
【００３４】
携帯電話のドライバとレシーバとの間を伝送する差動信号の周波数は、１００ＭＨｚ程度である。このような差動信号では、３次の高調波である３００ＭＨｚ付近におけるノーマルモードノイズに対するフィルタの挿入損失は、３ｄＢよりも小さい必要がある。これは、３００ＭＨｚ付近におけるノーマルモードノイズに対するフィルタの挿入損失が大きすぎると、差動信号そのものに悪影響が出るからである。
【００３５】
そこで、図４に示したグラフを参照すると、結合係数が０．２の場合には、３００ＭＨｚにおけるノーマルモードノイズに対するフィルタの挿入損失は、５ｄＢ程度であることが分かる。一方、図５に示したグラフを参照すると、結合係数が０．３の場合には、３００ＭＨｚにおけるノーマルモードノイズに対するフィルタの挿入損失は、３ｄＢ程度となっている。故に、コイルＬ１とコイルＬ２との結合係数及びコイルＬ３とコイルＬ４との結合係数は、０．３以上であることが好ましい。
【００３６】
また、携帯電話で使用する下限周波数であるＵＨＦ帯４７０ＭＨｚ付近におけるノーマルモードノイズに対するフィルタの挿入損失は、１０ｄＢよりも大きい必要がある。これは、ＵＨＦ帯の信号高調波がノーマルモードノイズとしてＵＨＦ帯の受信性能に影響を及ぼすことを防止するためである。
【００３７】
そこで、図７に示したグラフを参照すると、結合係数が０．７の場合には、５５０ＭＨｚにおけるノーマルモードノイズに対するフィルタの挿入損失は、１０ｄＢ程度である。また、図６に示したグラフを参照すると、結合係数が０．６の場合には、４７０ＭＨｚにおけるノーマルモードノイズに対するフィルタの挿入損失は、１０ｄＢ程度となっている。故に、コイルＬ１とコイルＬ２との結合係数及びコイルＬ３とコイルＬ４との結合係数は、０．７以下であることが好ましく、０．６以下であることがより好ましい。
【００３８】
以上のように、ノイズフィルタ１０ａは、コモンモードチョークコイルＬ１１，Ｌ１２を有しているので、携帯電話のドライバとレシーバとの間に発生するコモンモードノイズを除去することができる。更に、ノイズフィルタ１０ａは、コイルＬ１とコイルＬ２との結合係数及びコイルＬ３とコイルＬ４との結合係数が、０．３以上０．７以下となっているので、差動信号波形の劣化を抑制しつつ、ノーマルモードノイズも除去できる。よって、ノイズフィルタ１０ａは、携帯電話のドライバとレシーバとの間におけるコモンモードノイズ対策及びノーマルモードノイズ対策に適している。
【００３９】
次に、本願発明者は、ノイズフィルタ１０ａが奏する効果を明確なものとするために、実験を行った。より詳細には、ノイズフィルタ１０ａに相当する第１の実験例を作製すると共に、特許文献１に記載の積層型アレイ部品に相当する第２の実験例を作製した。第２の実験例の結合係数は、０．０５以下に設定した。そして、第１の実験として、これらの実験例に矩形波を入力させて、出力されてくる出力信号を測定した。また、第２の実験として、ノイズフィルタを挿入したときのノイズの強度分布を測定した。
【００４０】
図８は、第１の実験例において、第１の実験を行った際の結果を示したグラフである。図９は、第２の実験例において、第１の実験を行った際の結果を示したグラフである。図８及び図９では、縦軸は、信号レベルを示しており、横軸は、時間を示している。
【００４１】
図１０は、第２の実験例において、第２の実験を行った際の結果を示したグラフである。図１１は、第１の実験例において、第２の実験を行った際の結果を示したグラフである。図１０及び図１１では、縦軸は、ノイズレベルを示しており、横軸は、周波数を示している。
【００４２】
第１の実験において、第１の実験例及び第２の実験例に矩形波を入力したところ、高周波におけるノイズが除去されて、図８及び図９に示すように、第１の実験例及び第２の実験例共に正弦波状の信号が出力されてきた。図８と図９とを比較すると、図８の出力信号の方が、図９の出力信号よりも、入力信号に近い波形を有していることが分かる。したがって、矩形波を入力信号として用いた場合における出力信号の劣化の程度は、第１の実験例の方が第２の実験例よりも小さいことが理解できる。すなわち、ノイズフィルタ１０ａにおける出力信号の劣化は、特許文献１に記載の積層型アレイ部品における出力信号の劣化よりも小さいことが理解できる。
【００４３】
更に、第２の実験において、第１の実験例及び第２の実験例に同じ強度分布のノイズを入力した。その結果、図１０及び図１１に示すように、第１の実験例と第２の実験例とで略同じノイズ除去効果を得ることができていることが分かる。すなわち、ノイズフィルタ１０ａにおけるノイズ除去効果は、特許文献１に記載の積層アレイ部品におけるノイズ除去効果と同等であることが理解できる。
【００４４】
以上のように、第１の実験及び第２の実験によれば、ノイズフィルタ１０ａは、出力信号の波形の劣化を低減しつつ、良好なノイズ除去効果を得ることができていることが分かる。
【００４５】
また、ノイズフィルタ１０ａによれば、ＬＣフィルタとコモンモードチョークコイルとが一つのノイズフィルタ１０ａ内に内蔵されているので、ＬＣフィルタとコモンモードチョークコイルとが別々の電子部品により構成されている場合に比べて、回路全体を小型化できる。特に、ノイズフィルタ１０ａでは、コイルＬ１，Ｌ２は、コモンモードチョークコイルＬ１１を構成しているコイルとして機能すると共に、ＬＣフィルタＬＣ１，ＬＣ２の一部としても機能している。同様に、コイルＬ３，Ｌ４は、コモンモードチョークコイルＬ１２を構成しているコイルとして機能すると共に、ＬＣフィルタＬＣ３，ＬＣ４の一部としても機能している。このように、ノイズフィルタ１０ａでは、コイルＬ１〜Ｌ４が、ＬＣフィルタの一部及びコモンモードチョークコイルの一部に兼用されているので、ノイズフィルタ１０ａがより小型化される。
【００４６】
また、ノイズフィルタ１０ａでは、以下に説明するように、コモンモードノイズを効率よく除去することが可能となる。ｘｚ断面において、コイルＬ１が発生する磁束とコイルＬ２が発生する磁束、及び、コイルＬ３が発生する磁束とコイルＬ４が発生する磁束が等しくない場合には、ノーマルモードノイズがコモンモードノイズに変換されてしまい、新たなコモンモードノイズが発生して、コモンモードノイズが効率よく除去されない。そこで、ノイズフィルタ１０ａでは、ｘｚ断面において、コイルＬ１が発生する磁束の大きさとコイルＬ２が発生する磁束の大きさとが略等しくなるように、コイルＬ１，Ｌ２の電流経路を構成している。同様に、ｘｚ断面において、コイルＬ３が発生する磁束の大きさとコイルＬ４が発生する磁束の大きさとが略等しくなるように電流経路を構成している。これにより、コイルＬ１とコイルＬ２との間及びコイルＬ３とコイルＬ４との間の特性の差を小さくできる。故に、ノーマルモードノイズがコモンモードノイズに変換されて、新たなコモンモードノイズが発生することがない。そのため、ノイズフィルタ１０ａでは、コモンモードチョークコイルＬ１１及びコモンモードチョークコイルＬ１２にて、より効率よくコモンモードノイズを除去することが可能となる。
【００４７】
また、ｘｚ断面においてコンデンサ電極が誘電体層２０に対して線対称な構造でない場合には、磁束の大きさが等しくなりにくいため、ノーマルモードノイズがコモンモードノイズに変換されてしまい、新たなコモンモードノイズが発生して、コモンモードノイズが効率よく除去されない。一方、図２に示すように、コンデンサ電極層５０，５２，５８，６０，６２，６８は、ｘｚ断面において、ＬＣフィルタＬＣ１とＬＣフィルタＬＣ２との境界線（図２では、誘電体層２０）に対して、略線対称な構造を有している。同様に、図２に示すように、コンデンサ電極層５４，５６，５８，６４，６６，６８は、ｘｚ断面において、ＬＣフィルタＬＣ３とＬＣフィルタＬＣ４の境界線（図２では、誘電体層２０）に対して、略線対称な構造を有している。これにより、コンデンサ電極層５０，５２，５８が、コイルＬ１による磁束に及ぼす影響と、コンデンサ電極層６０，６２，６８が、コイルＬ２による磁束に及ぼす影響とを等しくできる。同様に、コンデンサ電極層５４，５６，５８が、コイルＬ４による磁束に及ぼす影響と、コンデンサ電極層６４，６６，６８が、コイルＬ３による磁束に及ぼす影響とを等しくできる。すなわち、コイルＬ１とコイルＬ２との間及びコイルＬ３とコイルＬ４との間の特性の差をより小さくできる。故に、ノーマルモードノイズがコモンモードノイズに変換されて、新たなコモンモードノイズが発生することがない。そのため、ノイズフィルタ１０ａでは、コモンモードチョークコイルＬ１１及びコモンモードチョークコイルＬ１２にて、より効率よくコモンモードノイズを除去することが可能となる。
【００４８】
また、一般的には、ノイズ抑制効果を高めるには挿入損失特性を高めればよいが、更に効果を高める場合には、ノイズの反射を抑制して、ノイズに対して低反射とすることが重要となる。ノイズフィルタ１０ａでは、コモンモードチョークコイルＬ１１とコモンモードチョークコイルＬ１２とを容量結合させることにより、コモンモードチョークコイルＬ１１，Ｌ１２間でノイズの循環が発生し、低反射にすることができる。図１２は、コモンモードノイズの反射特性と周波数との関係を示したグラフである。縦軸は、反射特性を示し、横軸は、周波数を示す。グラフ中の縦軸において、０ｄｂが全反射を示す。
【００４９】
図２に示すように、ノイズフィルタ１０ａでは、結合用電極層７０が設けられている。該結合用電極層７０は、コイルＬ１，Ｌ２からなる組とコイルＬ３，Ｌ４からなる組とを容量結合させている。これにより、図１２のグラフに示すように、ノイズフィルタ１０ａは、結合用電極層７０がないノイズフィルタよりも、コモンモードノイズの反射を抑制することが可能となる。因みに、結合用電極層７０がない場合には、例えば、コイルＬ１とコイルＬ３との結合容量は、０．５ｐＦ程度であるが、結合用電極層７０がある場合には、コイルＬ１とコイルＬ３との結合容量は、５ｐＦ程度になる。なお、コイルＬ１〜Ｌ４は、図２に示すように、全てのものが容量結合していてもよいし、コイルＬ１〜Ｌ４の内の３つ又は２つのコイルが容量結合していてもよい。ただし、２つのコイルが容量結合している場合には、コイルＬ１，Ｌ２の内のいずれか一方と、コイルＬ３，Ｌ４の内のいずれか一方とが容量結合している必要がある。
【００５０】
また、ノイズフィルタ１０ａでは、コイル電極層３０ａ〜３０ｆ，３４ａ〜３４ｆ、コンデンサ電極層５０，５２，５８，６０，６２，６８、及び、誘電体層１６ａ，１６ｂ，１８ａ〜１８ｆ，２２ａ〜２２ｆ，２４ａ，２４ｂは、図２に示すように、コイルＬ１，Ｌ２が、ｚ軸方向において、コンデンサＣ１，Ｃ２の間に位置するように積層されている。すなわち、コイルＬ１とコイルＬ２との間には、コンデンサが設けられていない。そのため、コイルＬ１及びコイルＬ２にて発生した磁束は、コンデンサＣ１，Ｃ２により妨げられにくい。これにより、コイルＬ１，Ｌ２内の磁束を強めることができ、ＬＣフィルタＬＣ１，ＬＣ２のノーマルモードノイズの除去特性を向上させることができると共に、ＬＣフィルタＬＣ１とＬＣフィルタＬＣ２との磁気的結合を強めることができ、コモンモードチョークコイルＬ１１のコモンモードノイズの除去特性を向上させることが可能となる。なお、同様のことが、ＬＣフィルタＬＣ３，ＬＣ４及びコイルＬ３，Ｌ４についても言える。
【００５１】
ところで、ノイズフィルタ１０ａでは、図３に示すように、浮遊容量ＣＰ１，ＣＰ２を発生させている。浮遊容量ＣＰ１は、コイル電極層３０とコイル電極層３４及びコイル電極３８とコイル電極４２をｚ軸方向に重ねることにより、コイルＬ１とコイルＬ２との間及びコイルＬ３とコイルＬ４との間に発生する浮遊容量である。浮遊容量ＣＰ１を発生させていることにより、以下に図１３を参照しながら説明するように、ノイズフィルタ１０ａのノーマルモードノイズを効率よく除去できると共に、ノーマルモードノイズに対するフィルタの挿入損失の変化を急峻にできる。
【００５２】
また、浮遊容量ＣＰ２は、コイル電極層３０，３４，３８，４２をｚ軸方向に重ねることにより、コイルＬ１〜Ｌ４の両端に発生する浮遊容量である。浮遊容量ＣＰ２を発生させていることにより、以下に図１４を参照しながら説明するように、ノーマルモードノイズ及びコモンモードノイズのカットオフ周波数を低くできると共に、ノーマルモードノイズ及びコモンモードノイズに対するフィルタの挿入損失の変化を急峻にできる。図１３及び図１４は、ノーマルモードノイズ及びコモンモードノイズに対するフィルタの挿入損失と周波数との関係を示したグラフである。縦軸は、挿入損失を示し、横軸は、周波数を示す。
【００５３】
まず、浮遊容量ＣＰ１が奏する効果について説明する。図１３には、浮遊容量ＣＰ１があると仮定した場合におけるノーマルモードノイズに対するフィルタの挿入損失と、浮遊容量ＣＰ１がないと仮定した場合におけるノーマルモードノイズに対するフィルタの挿入損失とが示されている。コモンモードノイズが浮遊容量ＣＰ１の影響を受けないので、コモンモードの挿入損失については、図１３に記載していない。
【００５４】
図３に示すように、浮遊容量ＣＰ１を発生させていると、コイルＬ１，Ｌ２と浮遊容量ＣＰ１とは、ＬＣフィルタを構成する。そのため、浮遊容量ＣＰ１を発生させていると、浮遊容量ＣＰ１を発生させていない場合に比べて、図１３に示すように、高周波側の共振点におけるノーマルモードノイズを効率よく除去できる。更に、浮遊容量ＣＰ１を発生させると、浮遊容量ＣＰ１を発生させない場合に比べて、図１３に示すように、高周波側の共振点におけるノーマルモードノイズに対するフィルタの挿入損失が急峻に変化する。
【００５５】
次に、浮遊容量ＣＰ２が奏する効果について説明する。図１４には、浮遊容量ＣＰ２があると仮定した場合におけるノーマルモードノイズ及びコモンモードノイズに対するフィルタの挿入損失と、浮遊容量ＣＰ２がないと仮定した場合におけるノーマルモードノイズ及びコモンモードノイズに対するフィルタの挿入損失とが示されている。
【００５６】
浮遊容量ＣＰ２を発生させていると、浮遊容量ＣＰ２を発生させない場合に比べて、図１４に示すように、ノーマルモードノイズ及びコモンモードノイズの共振点の周波数が低くなっている。すなわち、浮遊容量ＣＰ２を発生させると、浮遊容量ＣＰ２を発生させない場合に比べて、カットオフ周波数が低くなる。更に、浮遊容量ＣＰ２を発生させると、浮遊容量ＣＰ２を発生させない場合に比べて、図１４に示すように、高周波側の共振点におけるノーマルモードノイズ及びコモンモードの挿入損失が急峻に変化する。
【００５７】
（変形例）
図２に示すノイズフィルタ１０ａでは、結合用電極層７０は、２つの環状の線状電極が接続された形状を有しているが、該結合用電極層７０の形状はこれに限らない。結合用電極層７０は、コイルＬ１〜Ｌ４にて発生した磁束を妨げない形状を有していればよい。すなわち、結合用電極層７０は、ｚ軸方向から平面視したときに、コイルＬ１〜Ｌ４と重ならないように形成されていればよい。したがって、結合用電極層７０は、図１５（ａ）〜図１５（ｆ）に示す結合用電極層７０の変形例のような形状であってもよい。また、結合用電極層７０は、図１５（ｇ）に示すようなベタパターンの電極であってもよい。図１５（ｇ）に示す結合用電極層７０は、接地されていないので、磁気結合には影響を及ぼさない。
【００５８】
（第２の実施形態）
以下に、第２の実施形態に係るノイズフィルタ１０ｂの構成について図面を参照しながら説明する。図１６は、第２の実施形態に係るノイズフィルタ１０ｂの積層体１２ｂの分解斜視図である。図１７は、ノイズフィルタ１０ｂの等価回路図である。図１６及び図１７において、図２及び図３と同じ構成については、同じ参照符号が付してある。
【００５９】
積層体１２ｂは、図１６に示すように、誘電体層１６ａ，２４ａのそれぞれにコンデンサ電極層８０，８２，８４，８６，９０，９２，９４，９６が形成されている点において、積層体１２ａと相違する。以下、積層体１２ｂと積層体１２ａとの相違点を中心に説明を行う。
【００６０】
誘電体層１６ａには、コンデンサ電極層５０，５２，５４，５６，８０，８２，８４，８６が形成されている。コンデンサ電極層８０とコンデンサ電極層５８とは、誘電体層１６ａを挟んで対向することにより、コンデンサＣ５を構成している。コンデンサ電極層８２とコンデンサ電極層５８とは、誘電体層１６ａを挟んで対向することにより、コンデンサＣ６を構成している。コンデンサ電極層８４とコンデンサ電極層５８とは、誘電体層１６ａを挟んで対向することにより、コンデンサＣ７を構成している。コンデンサ電極層８６とコンデンサ電極層５８とは、誘電体層１６ａを挟んで対向することにより、コンデンサＣ８を構成している。
【００６１】
更に、コンデンサ電極層８０のｙ軸方向の正方向側の端部には、引き出し部８１が設けられている。これにより、図１７に示すように、コンデンサＣ５は、外部電極Ｅ１と外部電極Ｅ９，Ｅ１０との間に接続されるようになる。また、コンデンサ電極層８２のｙ軸方向の正方向側の端部には、引き出し部８３が設けられている。これにより、図１７に示すように、コンデンサＣ６は、外部電極Ｅ３と外部電極Ｅ９，Ｅ１０との間に接続されるようになる。また、コンデンサ電極層８４のｙ軸方向の正方向側の端部には、引き出し部８５が設けられている。これにより、図１７に示すように、コンデンサＣ７は、外部電極Ｅ５と外部電極Ｅ９，Ｅ１０との間に接続されるようになる。また、コンデンサ電極層８６のｙ軸方向の正方向側の端部には、引き出し部８７が設けられている。これにより、図１７に示すように、コンデンサＣ８は、外部電極Ｅ７と外部電極Ｅ９，Ｅ１０との間に接続されるようになる。
【００６２】
誘電体層２４ａには、コンデンサ電極層６０，６２，６４，６６，９０，９２，９４，９６が形成されている。コンデンサ電極層９０とコンデンサ電極層６８とは、誘電体層２４ｂを挟んで対向することにより、コンデンサＣ５を構成している。コンデンサ電極層９２とコンデンサ電極層６８とは、誘電体層２４ｂを挟んで対向することにより、コンデンサＣ６を構成している。コンデンサ電極層９４とコンデンサ電極層６８とは、誘電体層２４ｂを挟んで対向することにより、コンデンサＣ７を構成している。コンデンサ電極層９６とコンデンサ電極層６８とは、誘電体層２４ｂを挟んで対向することにより、コンデンサＣ８を構成している。
【００６３】
更に、コンデンサ電極層９０のｙ軸方向の正方向側の端部には、引き出し部９１が設けられている。これにより、図１７に示すように、コンデンサＣ５は、外部電極Ｅ１と外部電極Ｅ９，Ｅ１０との間に接続されるようになる。また、コンデンサ電極層９２のｙ軸方向の正方向側の端部には、引き出し部９３が設けられている。これにより、図１７に示すように、コンデンサＣ６は、外部電極Ｅ３と外部電極Ｅ９，Ｅ１０との間に接続されるようになる。また、コンデンサ電極層９４のｙ軸方向の正方向側の端部には、引き出し部９５が設けられている。これにより、図１７に示すように、コンデンサＣ７は、外部電極Ｅ５と外部電極Ｅ９，Ｅ１０との間に接続されるようになる。また、コンデンサ電極層９６のｙ軸方向の正方向側の端部には、引き出し部９７が設けられている。これにより、図１７に示すように、コンデンサＣ８は、外部電極Ｅ７と外部電極Ｅ９，Ｅ１０との間に接続されるようになる。
【００６４】
ノイズフィルタ１０ｂは、コンデンサＣ５〜Ｃ８が追加されて、Π型構造をとることによって、ノーマルモードノイズ及びコモンモードノイズに対するフィルタの挿入損失を急峻かつ大きくすることができる。
【００６５】
（第３の実施形態）
以下に、第３の実施形態に係るノイズフィルタ１０ｃの構成について図面を参照しながら説明する。図１８は、第３の実施形態に係るノイズフィルタ１０ｃの積層体１２ｃの分解斜視図である。図１９は、ノイズフィルタ１０ｃの等価回路図である。図１８及び図１９において、図２及び図３と同じ構成については、同じ参照符号が付してある。
【００６６】
積層体１２ｃは、図１８に示すように、誘電体層１６ａ，１６ｂ，２４ａ，２４ｂの代わりに、誘電体層１６ｃ，２４ｃが設けられている点において、図２に示す積層体１２ａと相違する。以下、積層体１２ｃと積層体１２ａとの相違点を中心に説明を行う。
【００６７】
ノイズフィルタ１０ｃでは、図１８に示すように、コイルＬ１，Ｌ２，Ｌ３，Ｌ４の途中に、コンデンサ電極層１００，１０３が形成された誘電体層１６ｃ，２４ｃが挿入される。より詳細には、誘電体層１６ｃは、誘電体層１８ｃと誘電体層１８ｄとの間に配置される。また、誘電体層２４ｃは、誘電体層２２ｃと誘電体層２２ｄとの間に配置される。コンデンサ電極層１００，１０３（接地用電極）は、ｚ軸方向から平面視した場合に、コイルＬ１〜Ｌ４のコイル軸と重ならないように、電極層が形成されていない空白部を有している。ビア導体３２ｃ，３６ｄ，４０ｄ，４４ｃは、コンデンサ電極層１００，１０３と接触しないように、空白部を貫通している。これにより、コンデンサ電極層１００は、誘電体層１６ｃ，１８を挟んでコイル電極層３０，４２と対向して、コンデンサＣ９，Ｃ１２を形成している。また、コンデンサ電極層１０３は、誘電体層２２，２４ｃを挟んでコイル電極層３４，３８と対向して、コンデンサＣ１０，Ｃ１１を形成している。
【００６８】
更に、コンデンサ電極層１００は、ｘ軸方向の両端において引き出し部１０１，１０２を有している。引き出し部１０１，１０２はそれぞれ、外部電極Ｅ９，Ｅ１０に接続されている。その結果、コンデンサＣ９は、図１９に示すように、コイルＬ１と外部電極Ｅ９，Ｅ１０との間に接続されるようになる。同様に、コンデンサＣ１２は、図１９に示すように、コイルＬ４と外部電極Ｅ９，Ｅ１０との間に接続されるようになる。
【００６９】
また、コンデンサ電極層１０３は、ｘ軸方向の両端において引き出し部１０４，１０５を有している。引き出し部１０４，１０５はそれぞれ、外部電極Ｅ９，Ｅ１０に接続されている。その結果、コンデンサＣ１０は、図１９に示すように、コイルＬ２と外部電極Ｅ９，Ｅ１０との間に接続されるようになる。同様に、コンデンサＣ１１は、図１９に示すように、コイルＬ３と外部電極Ｅ９，Ｅ１０との間に接続されるようになる。
【００７０】
ノイズフィルタ１０ｃによれば、以下に説明するように、コモンモードノイズを効率よく除去することができる。より詳細には、コイルが発生した磁束が電極層を貫通する際には、渦電流損が電極層において発生し、ノイズフィルタのコモンモードノイズの除去特性が低下する。そこで、ノイズフィルタ１０ｃでは、コンデンサ電極層１００，１０３に空白部が設けられている。これにより、コイルＬ１〜Ｌ４にて発生した磁束は、コンデンサ電極層１００，１０３の空白部を貫通するようになり、コンデンサ電極層１００，１０３にて渦電流損が発生せず、コイルＬ１〜Ｌ４にて発生する磁束が強くなる。その結果、コイルＬ１〜Ｌ４の磁気的な結合が強くなり、ノイズフィルタ１０ｃにおいて、コモンモードノイズの除去特性が向上する。また、コイルＬ１〜Ｌ４にて発生する磁束が強くなるので、ＬＣフィルタＬＣ１〜ＬＣ４によるノーマルモードノイズの除去特性も向上する。
【００７１】
また、ノイズフィルタ１０ｃでは、コイル電極層３０，３４，３８，４２が、コイル電極層とコンデンサ電極層の一方とを兼ねている。故に、ノイズフィルタ１０ｃでは、ノイズフィルタ１０ａに比べて、誘電体層の枚数を減らすことが可能となる。
【００７２】
（第４の実施形態）
以下に、第４の実施形態に係るノイズフィルタ１０ｄの構成について図面を参照しながら説明する。図２０は、第４の実施形態に係るノイズフィルタ１０ｄの積層体１２ｄの分解斜視図である。図２１は、ノイズフィルタ１０ｄの等価回路図である。図２０及び図２１において、図２、図３、図１８及び図１９と同じ構成については、同じ参照符号が付してある。
【００７３】
積層体１２ｄは、図２０に示すように、誘電体層１６ａ，１６ｂ、２４ａ，２４ｂが更に追加されている点において、図１８に示す積層体１２ｃと相違する。誘電体層１６ａ，１６ｂ，２４ａ，２４ｂは、図２に示す積層体１２ａに含まれているものと同じである。
【００７４】
以上のような積層体１２ｄによれば、図２１に示すように、外部電極Ｅ２と外部電極Ｅ９，Ｅ１０との間にコンデンサＣ１が設けられ、外部電極Ｅ４と外部電極Ｅ９，Ｅ１０との間にコンデンサＣ２が設けられ、外部電極Ｅ６と外部電極Ｅ９，Ｅ１０との間にコンデンサＣ３が設けられ、外部電極Ｅ８と外部電極Ｅ９，Ｅ１０との間にコンデンサＣ４が設けられるようになる。これにより、ノイズフィルタ１０ｄは、Π型構造をとることによって、ノーマルモードノイズ及びコモンモードノイズに対するフィルタの挿入損失を急峻かつ大きくすることができる。
【００７５】
（第５の実施形態）
以下に、第５の実施形態に係るノイズフィルタ１０ｅの構成について図面を参照しながら説明する。図２２は、第５の実施形態に係るノイズフィルタ１０ｅの積層体１２ｅの分解斜視図である。図２２において、図２と同じ構成については、同じ参照符号が付してある。
【００７６】
積層体１２ｅは、図２２に示すように、誘電体層１６ａ，１６ｂ、２４ａ，２４ｂの代わりに誘電体層１６ｄ，１６ｅ，２４ｄ，２４ｅが設けられている点において、図２に示す積層体１２ａと相違する。以下に、積層体１２ｅと積層体１２ａの相違点について説明する。
【００７７】
誘電体層１６ｄには、コンデンサ電極層１５０，１５２，１５４，１５６が形成されている。コンデンサ電極層１５０，１５２，１５４，１５６は、図２に示すコンデンサ電極層５０，５２，５４，５６に比べてｘ軸方向の幅が狭く形成されている。これにより、コンデンサ電極層１５０，１５２，１５４，１５６（信号用電極）は、ｚ軸方向から平面視したときに、コイルＬ１，Ｌ４のコイル軸と重ならないようになっている。更に、コンデンサ電極層１５０，１５２，１５４，１５６のｙ軸方向の負方向側の端部にはそれぞれ、外部電極Ｅ２，Ｅ４，Ｅ６，Ｅ８と接続される引き出し部１５１，１５３，１５５，１５７が設けられている。
【００７８】
また、誘電体層１６ｅには、コンデンサ電極層１５８が形成されている。該コンデンサ電極層１５８は、ｚ軸方向から平面視したときに、コンデンサ電極層１５０，１５２，１５４，１５６と重なると共に、コイルＬ１，Ｌ４のコイル軸と重ならないように、電極層が形成されていない空白部を有するように形成されている。
【００７９】
また、誘電体層２４ｄには、コンデンサ電極層１６０，１６２，１６４，１６６が形成されている。コンデンサ電極層１６０，１６２，１６４，１６６は、図２に示すコンデンサ電極層６０，６２，６４，６６に比べてｘ軸方向の幅が狭く形成されている。これにより、コンデンサ電極層１６０，１６２，１６４，１６６は、積層方向から平面視したときに、コイルＬ２，Ｌ３のコイル軸と重ならないようになっている。更に、コンデンサ電極層１６０，１６２，１６４，１６６のｙ軸方向の負方向側の端部にはそれぞれ、外部電極Ｅ２，Ｅ４，Ｅ６，Ｅ８と接続される引き出し部１６１，１６３，１６５，１６７が設けられている。
【００８０】
また、誘電体層２４ｅには、コンデンサ電極層１６８が形成されている。該コンデンサ電極層１６８は、ｚ軸方向から平面視したときに、コンデンサ電極層１６０，１６２，１６４，１６６と重なると共に、コイルＬ２，Ｌ３のコイル軸と重ならないように、電極層が形成されていない空白部を有するように形成されている。
【００８１】
以上のような構成を有するノイズフィルタ１０ｅは、ノイズフィルタ１０ａと同じように、図３に示す回路構成を有する。
【００８２】
ノイズフィルタ１０ｅによれば、コンデンサ電極層１５０，１５２，１５４，１５６，１５８，１６０，１６２，１６４，１６６，１６８が、ｚ軸方向から平面視したときに、コイルＬ１〜Ｌ４と重ならないように形成されている。そのため、ノイズフィルタ１０ｅでは、コンデンサ電極層１５０，１５２，１５４，１５６，１５８，１６０，１６２，１６４，１６６，１６８における渦電流損の発生が抑制され、コイルＬ１〜Ｌ４にて発生する磁束が強くなる。その結果、コイルＬ１とコイルＬ２との磁気的な結合及びコイルＬ３とコイルＬ４との磁気的な結合が強くなり、ノイズフィルタ１０ｅのコモンモードノイズ除去特性がノイズフィルタ１０ａに比べて向上する。
【００８３】
（第６の実施形態）
以下に、第６の実施形態に係るノイズフィルタ１０ｆの構成について図面を参照しながら説明する。図２３は、第６の実施形態に係るノイズフィルタ１０ｆの積層体１２ｆの分解斜視図である。図２３において、図２、図１６及び図２２と同じ構成については、同じ参照符号が付してある。
【００８４】
積層体１２ｆは、図２３に示すように、誘電体層１６ａ，１６ｂ，２４ａ，２４ｂの代わりに、誘電体層１６ｄ，１６ｅ，１６ｆ，２４ｄ，２４ｅ，２４ｆが設けられている点において、図１６に示す積層体１２ｂと相違する。以下に、積層体１２ｆと積層体１２ｂの相違点について説明する。
【００８５】
積層体１２ｆは、図２３に示すように、誘電体層１４ｃと誘電体層１６ｄとの間に、誘電体層１６ｆが設けられている。該誘電体層１６ｆには、コンデンサ電極層２５０，２５２，２５４，２５６が形成されている。コンデンサ電極層２５０，２５２，２５４，２５６は、ｚ軸方向から平面視したときに、コンデンサ電極層１５８と重なるように形成されている。これにより、コンデンサ電極層２５０とコンデンサ電極層１５０とは、コンデンサＣ５を構成する。コンデンサ電極層２５２とコンデンサ電極層１５２とは、コンデンサＣ６を構成する。コンデンサ電極層２５４とコンデンサ電極層１５４とは、コンデンサＣ７を構成する。コンデンサ電極層２５６とコンデンサ電極層１５６とは、コンデンサＣ８を構成する。更に、コンデンサ電極層２５０，２５２，２５４，２５６のｙ軸方向の正方向側の端部にはそれぞれ、外部電極Ｅ１，Ｅ３，Ｅ５，Ｅ７と接続される引き出し部２５１，２５３，２５５，２５７が設けられている。
【００８６】
また、誘電体層２４ｆには、コンデンサ電極層２６０，２６２，２６４，２６６が形成されている。コンデンサ電極層２６０，２６２，２６４，２６６は、ｚ軸方向から平面視したときに、コンデンサ電極層１６８と重なるように形成されている。これにより、コンデンサ電極層２６０とコンデンサ電極層１６０とは、コンデンサＣ５を構成する。コンデンサ電極層２６２とコンデンサ電極層１６２とは、コンデンサＣ６を構成する。コンデンサ電極層２６４とコンデンサ電極層１６４とは、コンデンサＣ７を構成する。コンデンサ電極層２６６とコンデンサ電極層１６６とは、コンデンサＣ８を構成する。更に、コンデンサ電極層２６０，２６２，２６４，２６６のｙ軸方向の正方向側の端部にはそれぞれ、外部電極Ｅ１，Ｅ３，Ｅ５，Ｅ７と接続される引き出し部２６１，２６３，２６５，２６７が設けられている。
【００８７】
以上のような構成を有するノイズフィルタ１０ｆは、ノイズフィルタ１０ｂと同じように、図１７に示す回路構成を有する。
【００８８】
ノイズフィルタ１０ｆによれば、コンデンサ電極層１５８，１６８，２５０，２５２，２５４，２５６，２６０，２６２，２６４，２６６が、ｚ軸方向から平面視したときに、コイルＬ１〜Ｌ４と重ならないように形成されている。そのため、ノイズフィルタ１０ｆでは、コンデンサ電極層１５８，１６８，２５０，２５２，２５４，２５６，２６０，２６２，２６４，２６６における渦電流損の発生が抑制され、コイルＬ１〜Ｌ４にて発生する磁束が強くなる。その結果、コイルＬ１とコイルＬ２との磁気的な結合及びコイルＬ３とコイルＬ４との磁気的な結合が強くなり、ノイズフィルタ１０ｆのコモンモードノイズ除去特性がノイズフィルタ１０ｂに比べて向上する。
【００８９】
（第７の実施形態）
以下に、第７の実施形態に係るノイズフィルタ１０ｇの構成について図面を参照しながら説明する。図２４は、第７の実施形態に係るノイズフィルタ１０ｇの積層体１２ｇの分解斜視図である。図２４において、図２及び図２０と同じ構成については、同じ参照符号が付してある。
【００９０】
積層体１２ｇは、図２４に示すように、誘電体層１６ａ，１６ｂ，２４ａ，２４ｂの代わりに、誘電体層１６ｄ，１６ｅ，２４ｄ，２４ｅが設けられている点において、図２０に示す積層体１２ｄと相違する。誘電体層１６ｄ，１６ｅ，２４ｄ，２４ｅは、図２０に示したものと同じであるので詳細な説明を省略する。
【００９１】
以上のような構成を有するノイズフィルタ１０ｇは、ノイズフィルタ１０ｄと同じように、図２１に示す回路構成を有する。
【００９２】
ノイズフィルタ１０ｇによれば、コンデンサ電極層１５０，１５２，１５４，１５６，１５８，１６０，１６２，１６４，１６６，１６８が、ｚ軸方向から平面視したときに、コイルＬ１〜Ｌ４と重ならないように形成されている。そのため、ノイズフィルタ１０ｇでは、コンデンサ電極層１５０，１５２，１５４，１５６，１５８，１６０，１６２，１６４，１６６，１６８における渦電流損の発生が抑制され、コイルＬ１〜Ｌ４にて発生する磁束が強くなる。その結果、コイルＬ１とコイルＬ２との磁気的な結合及びコイルＬ３とコイルＬ４との磁気的な結合が強くなり、ノイズフィルタ１０ｇのコモンモードノイズ除去特性がノイズフィルタ１０ｄに比べて向上する。
【００９３】
（第８の実施形態）
以下に、第８の実施形態に係るノイズフィルタ１０ｈの構成について図面を参照しながら説明する。図２５は、第８の実施形態に係るノイズフィルタ１０ｈの積層体１２ｈの分解斜視図である。図２６は、ノイズフィルタ１０ｈの等価回路図である。図２５及び図２６において、図２及び図３と同じ構成については、同じ参照符号が付してある。
【００９４】
積層体１２ｈは、図２５に示すように、誘電体層２４ａと誘電体層２６ｃとの間に、誘電体層２４ｇが設けられている点において、図２に示す積層体１２ａと相違する。以下に、積層体１２ｈと積層体１２ａの相違点について説明する。
【００９５】
積層体１２ｈは、図２５に示すように、誘電体層２４ａと誘電体層２６ｃとの間に、誘電体層２４ｇが設けられている。該誘電体層２４ｇには、コンデンサ電極層３６０，３６２，３６４，３６６が形成されている。コンデンサ電極層３６０，３６２，３６４，３６６はそれぞれ、ｚ軸方向から平面視したときに、コンデンサ電極層６０，６２，６４，６６と重なるように形成されている。これにより、コンデンサ電極層６０とコンデンサ電極層３６０とは、コンデンサＣ１３を構成する。コンデンサ電極層６２とコンデンサ電極層３６２とは、コンデンサＣ１４を構成する。コンデンサ電極層６４とコンデンサ電極層３６４とは、コンデンサＣ１５を構成する。コンデンサ電極層６６とコンデンサ電極層３６６とは、コンデンサＣ１６を構成する。更に、コンデンサ電極層３６０，３６２，３６４，３６６のｙ軸方向の正方向側の端部にはそれぞれ、外部電極Ｅ１，Ｅ３，Ｅ５，Ｅ７と接続される引き出し部３６１，３６３，３６５，３６７が設けられている。
【００９６】
以上のような構成を有するノイズフィルタ１０ｈは、図２６に示す回路構成を有する。より詳細には、コイルＬ１，Ｌ２，Ｌ３，Ｌ４のそれぞれの両端間に、コンデンサＣ１３，Ｃ１４，Ｃ１５，Ｃ１６が形成される。そして、コンデンサ電極層３６０，３６２，３６４，３６６の形状や面積等を調整することにより、コンデンサＣ１３，Ｃ１４，Ｃ１５，Ｃ１６の容量を調整でき、ノイズフィルタ１０ｈのコモンモードノイズ及びノーマルモードノイズの除去特性を調整できる。
【００９７】
（その他の実施形態）
以下に、その他の実施形態に係るノイズフィルタ１０ｉ〜１０ｎについて図面を参照しながら説明する。図２７〜図２９はそれぞれ、その他の実施形態に係るノイズフィルタ１０ｉ〜１０ｋの積層体１２ｉ〜１２ｋの分解斜視図である。図３０は、図２９のノイズフィルタ１０ｋの等価回路図である。図３１〜図３３は、その他の実施形態に係るノイズフィルタ１０ｌ〜１０ｎの積層体１２ｌ〜１２ｎの分解斜視図である。
【００９８】
ノイズフィルタ１０ｉは、図２７に示すような積層体１２ｉを備えていてもよい。ノイズフィルタ１０ｉは、図１８に示すノイズフィルタ１２ｃと同じ図１９に示す等価回路を有している。
【００９９】
また、ノイズフィルタ１０ｊは、図２８に示すような積層体１２ｊを備えていてもよい。ノイズフィルタ１０ｊは、図２０に示すノイズフィルタ１０ｄと同じ図２１に示す等価回路を有している。
【０１００】
また、ノイズフィルタ１０ｋは、図２９に示すような積層体１２ｋを備えていてもよい。ノイズフィルタ１０ｋは、図３０に示す等価回路を有している。ノイズフィルタ１０ｋによれば、ベタ信号パターンを挿入して、磁気結合を調整することにより、ノーマルモード、コモンモード減衰において複数の共振点を得ることができる。
【０１０１】
また、ノイズフィルタ１０ｌ〜１０ｎは、図３１〜図３３に示すような積層体１２ｌ〜１２ｎを備えていてもよい。
【０１０２】
なお、第２の実施形態、第８の実施形態及びその他の実施形態では詳しく説明しなかったが、ノイズフィルタ１０ｂ〜１０ｎにおいても、ノイズフィルタ１０ａと同じく、コイルＬ１とコイルＬ２との結合係数及びコイルＬ３とコイルＬ４との結合係数は、０．３以上０．７以下である。これにより、ノイズフィルタ１０ｂ〜１０ｎにおいても、ノイズフィルタ１０ａと同様に、携帯電話のドライバとレシーバとの間におけるコモンモードノイズ対策及びノーマルモードノイズ対策を行うことができる。
【０１０３】
なお、ノイズフィルタ１０ｂ〜１０ｎについても、誘電体層２４ｇが設けられてもよい。
【０１０４】
なお、ノイズフィルタ１０ａ〜１０ｎにおいて、コモンモードチョークコイルを１つ又は３つ以上備えていてもよい。
【０１０５】
（電子装置）
以下に、ノイズフィルタ１０ａ〜１０ｎを備えている電子装置について図面を参照する。図３４は、ノイズフィルタ１０ａ〜１０ｎを備えた電子装置６００の構成図である。以下の説明では、電子装置６００は、ノイズフィルタ１０ａを備えているものとする。なお電子装置６００は、例えば、携帯電話などであり、図３４では、携帯電話等の一部を抽出して記載してある。
【０１０６】
電子装置６００は、図３４に示すように、ノイズフィルタ１０ａ、ドライバ６０２ａ，６０２ｂ、レシーバ６０４ａ，６０４ｂ及び信号線Ｓ１〜Ｓ８を備えている。
【０１０７】
ドライバ６０２ａは、互いに逆相の波形を有する２つの信号を生成し、信号線Ｓ１，Ｓ３に出力する。信号線Ｓ１，Ｓ３はそれぞれ、外部電極Ｅ１，Ｅ３に接続され、差動伝送路を構成している。信号線Ｓ２，Ｓ４はそれぞれ、外部電極Ｅ２，Ｅ４に接続され、差動伝送路を構成している。これにより、ＬＣフィルタＬＣ１は、信号線Ｓ１と信号線Ｓ２との間に接続され、ＬＣフィルタＬＣ２は、信号線Ｓ３と信号線Ｓ４との間に接続されている。レシーバ６０４ａは、差動伝送路を構成している信号線Ｓ２，Ｓ４に接続されており、信号線Ｓ２，Ｓ４を伝送する２つの信号の差分信号を検出する。
【０１０８】
ドライバ６０２ｂは、互いに逆相の波形を有する２つの信号を生成し、信号線Ｓ５，Ｓ７に出力する。信号線Ｓ５，Ｓ７はそれぞれ、外部電極Ｅ５，Ｅ７に接続され、差動伝送路を構成している。信号線Ｓ６，Ｓ８はそれぞれ、外部電極Ｅ６，Ｅ８に接続され、差動伝送路を構成している。これにより、ＬＣフィルタＬＣ３は、信号線Ｓ５と信号線Ｓ６との間に接続され、ＬＣフィルタＬＣ４は、信号線Ｓ７と信号線Ｓ８との間に接続されている。レシーバ６０４ｂは、差動伝送路を構成している信号線Ｓ６，Ｓ８に接続されており、信号線Ｓ６，Ｓ８を伝送する２つの信号の差分信号を検出する。
【０１０９】
電子装置６００によれば、コモンモードノイズが、ノイズフィルタ１０ａ〜１０ｎにより除去されるようになる。より詳細には、理想的な差動伝送路を流れる２つの信号の電流の和は一定である。よって、通常、コモンモードノイズは、差動伝送路を流れる２つの信号には生じない。しかしながら、差動伝送路では、ドライバ６０２ａ，６０２ｂのインピーダンスのばらつき等により、点Ｄ＋，Ｄ−における信号の振幅及び位相が崩れてコモンモードノイズが発生する場合がある。そこで、ドライバ６０２ａ，６０２ｂとレシーバ６０４ａ，６０４ｂとの間に、ノイズフィルタ１０ａ〜１０ｎを挿入することにより、コモンモードノイズが除去されるようになる。
【０１１０】
また、電子装置６００によれば、ノーマルモードノイズが、ノイズフィルタ１０ａ〜１０ｎにより除去されるようになる。より詳細には、ノイズフィルタ１０ａでは、コイルＬ１とコイルＬ２との結合係数及びコイルＬ３とコイルＬ４との結合係数を０．３以上０．７以下としているので、携帯電話のドライバとレシーバとの間を伝送する差動信号に発生するノーマルモードノイズを効果的に除去できる。
【産業上の利用可能性】
【０１１１】
本発明は、ノイズフィルタ及びこれを備えた電子装置に有用であり、特に、差動信号波形の品質低下を抑制しつつ、携帯電話のドライバとレシーバとの間におけるコモンモードノイズ対策及びノーマルモードノイズ対策に適している点において優れている。
【符号の説明】
【０１１２】
Ｃ１〜Ｃ１６  コンデンサ
ＣＰ１，ＣＰ２  浮遊容量
Ｅ１〜Ｅ１０  外部電極
Ｌ１〜Ｌ４  コイル
Ｌ１１，Ｌ１２  コモンモードチョークコイル
ＬＣ１〜ＬＣ４  ＬＣフィルタ
Ｓ１〜Ｓ８  信号線
１０ａ〜１０ｎ  ノイズフィルタ
１２ａ〜１２ｎ  積層体
１４ａ〜１４ｃ，１６ａ〜１６ｆ，１８ａ〜１８ｆ，２０，２２ａ〜２２ｆ，２４ａ〜２４ｇ，２６ａ〜２６ｃ  誘電体層
３０ａ〜３０ｆ，３４ａ〜３４ｆ，３８ａ〜３８ｆ，４２ａ〜４２ｆ  コイル電極層
３２ａ〜３２ｅ，３６ｂ〜３６ｆ，４０ｂ〜４０ｆ，４４ａ〜４４ｅ  ビア導体
５０，５２，５４，５６，５８，６０，６２，６４，６６，６８，８０，８２，８４，８６，９０，９２，９４，９６，１００，１０３，１５０，１５２，１５４，１５６，１５８，１６０，１６２，１６４，１６６，１６８，２５０，２５２，２５４，２５６，２６０，２６２，２６４，２６６，３６０，３６２，３６４，３６６  コンデンサ電極層
５１，５３，５５，５７，６１，６３，６５，６７，７１，７２，７３，７４，８１，８３，８５，８７，９１，９３，９５，９７，１０１，１０２，１０４，１０５，１５１，１５３，１５５，１５７，１６１，１６３，１６５，１６７，１７１，１７２，１７３，１７４，２５１，２５３，２５５，２５７，２６１，２６３，２６５，２６７，３６１，３６３，３６５，３６７  引き出し部
７０  結合用電極層
６００  電子部品
６０２ａ，６０２ｂ  ドライバ
６０４ａ，６０４ｂ  レシーバ
【図１】
2010119085.tif 000003
【図２】
2010119085.tif 000004
【図３】
2010119085.tif 000005
【図４】
2010119085.tif 000006
【図５】
2010119085.tif 000007
【図６】
2010119085.tif 000008
【図７】
2010119085.tif 000009
【図８】
2010119085.tif 000010
【図９】
2010119085.tif 000011
【図１０】
2010119085.tif 000012
【図１１】
2010119085.tif 000013
【図１２】
2010119085.tif 000014
【図１３】
2010119085.tif 000015
【図１４】
2010119085.tif 000016
【図１５】
2010119085.tif 000017
【図１６】
2010119085.tif 000018
【図１７】
2010119085.tif 000019
【図１８】
2010119085.tif 000020
【図１９】
2010119085.tif 000021
【図２０】
2010119085.tif 000022
【図２１】
2010119085.tif 000023
【図２２】
2010119085.tif 000024
【図２３】
2010119085.tif 000025
【図２４】
2010119085.tif 000026
【図２５】
2010119085.tif 000027
【図２６】
2010119085.tif 000028
【図２７】
2010119085.tif 000029
【図２８】
2010119085.tif 000030
【図２９】
2010119085.tif 000031
【図３０】
2010119085.tif 000032
【図３１】
2010119085.tif 000033
【図３２】
2010119085.tif 000034
【図３３】
2010119085.tif 000035
【図３４】
2010119085.tif 000036